Podtech/llm-jp-corpus-v4-ja_patent huggingface dataset:
(57)【要約】【課題】  ヘッドホンステレオの音源移動の再生で、サラウンド効果を増強し、臨場感の改善をすることでより迫真のリアル音場再生を可能とする３Ｄヘッドホンステレオを提供する。【解決手段】オーディオ信号を５マルチバイブレータ回路と４パスリレー部で短時間で断続的に区切り、６イコライザーで或る音域を強調して特定の音源の音レベル差を測定しディレー時間を制御する８サラウンドディレータイム補正回路の手段で複数のＡＦアンプで増幅して１４骨伝導スピーカを含む３スピーカで構成する１７の３Ｄヘッドホン部に出力するようにした３Ｄヘッドホンステレオ。【選択図】図１
0003183295.tif 000002
【実用新案登録請求の範囲】
【請求項１】
オーディオ音声信号をマルチバイブレータ回路から出力するパルスでパスリレー回路のオンオフし、僅かな時間で区切り特定の周波数を強調し取り出すイコライザーにより左信号と右信号をそれぞれＡＦアンプに入力、増幅して左右のスピーカとヘッドバンド野中央部に設けた骨伝導スピーカを含む３Ｄヘッドホン部に僅かな時間差を利用した音レベル差を測定してディレー時間を決めるＲＯＭからディレー時間を制御するサラウンドディレータイム補正回路から出力することを特徴とした３Ｄヘッドホンステレオ。
【請求項２】
オーディオ入力信号から３個のＡＦアンプを介して、骨伝導スピーカをヘッドバンドの中央部に配置した３Ｄヘッドホン部を接続して、低音域を骨伝導スピーカで響かせ、３方向で聴く事を特徴とした請求項１記載の３Ｄヘッドホンステレオ。
【考案の詳細な説明】
【技術分野】
【０００１】本考案は、音場の移動の再生を改善したヘッドホンステレオに関するものである。
【背景技術】
【０００２】音質を高めて個人で良い音を聴くことを目的としたヘッドホンにテープレコーダを接続した音響機器は、再生する音楽ソフトの音場が静止した状態の音源を、対象にしており音場の移動或いは遠近感の再生に向いていなかった。ゆえにライブ音源の再生には、サラウンド回路の工夫がされていたが、臨場感の明確さに欠ける点が問題であった。
【考案の開示】
【考案が解決しようとする課題】
【０００３】本考案は、上記問題を解決する手段の一つとしてステレオラジオ放送やステレオ音源の臨場感を向上させ再生する事ができる３Ｄヘッドホンステレオを提供することを目的とする。【０００４】ライブ音源から特定音域を選びだしその音域の周波数において僅かな時間差による音レベルの差異を測定し、その違いから遠近度数をサラウンド時間の遅れを変化させる量でＲＯＭから呼出し、再生させる際に後頭部に設けた骨伝導スピーカに付加して、再生すると同時に左右スピーカとともに３方向スピーカから音を出す３Ｄヘッドホンは提案されている。【０００５】さらに左右スピーカから聴くより骨伝導スピーカを含む３方向の方がより臨場感が高まり時間差を変えると奥行感は変化することが判る。
【先行技術文献】
【０００６】
【特許文献】
【特許文献】実用新案登録第３１７４９６５号
【課題を解決するための手段】
【０００７】オーディオ入力信号の特定音域の周波数を測定して僅かな時間で区切り、音レベルの差異情報からＲＯＭに記録されているディレー時間によりサラウンドディレイさせる手段を使いオーディオ入力信号からステレオ放送、ステレオ音源を入力、マルチバイブレータ回路から発振されるパルスがパスリレー部に入り、パルス電圧のオンオフを繰り返して音源の音を非常に速く区切り、イコライザーで特定音域を拾い、サラウンドディレータイム補正回路に加えることを特徴とするものである。
【０００８】一方、左信号入力端子と右信号入力端子が左右信号分離入力回路で左右信号に分かれてＡＦアンプの左右アンプで増幅されヘッドホンを構成する左右スピーカから左右の再生音が出る。
【０００９】サラウンドディレータイム補正回路を経て中央ＡＦアンプで増幅、骨伝導スピーカから時間差が制御された音が後頭部から振動で聴こえることを特徴とするものである。
【考案の効果】
【００１０】本考案は、ヘッドホンにおいて左右２スピーカ音源で再生するより後頭部からのスピーカ音源を加えて再生する方がより臨場感が増すと同時にサラウンドのディレー時間を変えるとさらに良い移動感により３Ｄ音響が楽しめる。そこでステレオ音源を細かく区切り音の強さを検出しディレー時間が変化する方法によりヘッドホンで手軽に臨場感音楽ライブが楽しめる。
【図面の簡単な説明】
【００１１】
【図１】本考案の３Ｄヘッドホンステレオの配線図。
【図２】本考案の３Ｄヘッドホンステレオの全体の構成の図。
【図３】骨伝導スピーカを含むサラウンドディレータイム補正回路の図。
【考案を実施するための最良の形態】
【００１２】以下、考案の一形態を図１から図３を参考に説明する。図１は、３Ｄヘッドホンステレオの配線を示す図である。１は入力端子（共通部）である。この入力端子（共通部）にオーディオ入力信号が入る。一方、２左信号入力端子及び３右信号入力端子へステレオ音声信号が入る。【００１３】１入力端子（共通部）は、７左右信号分離入力回路及び４パスリレー部に接続され５マルチバイブレータ回路に接続されている。５マルチバイブレータ回路は、連続的にパルス波を発振して４パスリレー部をオンオフさせて時間の区切りをする。５マルチバイブレータ回路の発振周波数は比較的に高い周波数を用いる。４パスリレー部は６イコライザーに接続される。【００１４】２左信号入力端子と３右信号入力端子はともに７左右信号分離入力回路に接続されている。６イコライザーは８サラウンドディレータイム補正回路に接続されている。７左右信号分離入力回路はそれぞれ専用のアンプである９ＡＦアンプ（左）部と１０ＡＦアンプ（右）部に接続されている。【００１５】これで増幅されて９ＡＦアンプ（左）部は１１左スピーカに、１０ＡＦアンプ（右）部は１２右スピーカにそれぞれ接続されている。これで左右からステレオ音響が聴こえる。【００１６】８サラウンドディレータイム補正回路は１３中央ＡＦアンプを介して１４骨伝導スピーカに接続されている。前後の音像の移動感を再現する反響音となるズレが生じて１４骨伝導スピーカから反響音が後頭部の骨伝導振動でダイレクトに聴くことができる。【００１７】尚、８サラウンドディレータイム補正回路は実用新案登録の第３１７４９６５号に公開されているが、図３に示すような技術を用いる。
【符号の説明】
【００１８】１    入力端子（共通部）
２    左信号入力端子
３    右信号入力端子
４    パスリレー部
５    マルチバイブレータ回路
６    イコライザー
７    左右信号分離入力回路
８    サラウンドディレータイム補正回路
９    ＡＦアンプ（左）部
１０  ＡＦアンプ（右）部
１１  左スピーカ
１２  右スピーカ
１３  中央ＡＦアンプ
１４  骨伝導スピーカ
１５  ヘッドバンド
１６  ３Ｄヘッドホンステレオ本体
１７  ３Ｄヘッドホン部
【図１】
0003183295.tif 000003
【図２】
0003183295.tif 000004
【図３】
0003183295.tif 000005
(57)【要約】      （修正有）【課題】フィギュア、模型、美術品等の展示物を個性的に照明演出する照明付き展示台を提供する。【解決手段】フィギュア、模型、美術品等の展示物を照明演出する台として用い、展示物を置く展示台１と、電灯３が先端に付き照明位置や照射角度を自在に曲げて支持できる少なくとも３本以上のアーム２と、電池ボックスまたは外部電源入力端子と、電源スイッチ５から成り、複数の電灯３が自在な位置から照明することにより、個性的に照明演出ができるようにした。【選択図】図１
0003183300.tif 000002
【実用新案登録請求の範囲】
【請求項１】
展示物を置き照明演出する展示台であって、
前記展示物を置く展示台と、
電灯が先端に付き照明照射位置や照射角度を自在に曲げて支持できる素材でできたアームと、
前記アームを少なくとも３本以上を備えたことを特徴とする照明付き展示台。
【考案の詳細な説明】
【技術分野】
【０００１】本考案は、フィギュア、模型、美術品等の展示物を、個性的に照明演出する照明付き展示台に関するものである。
【背景技術】
【０００２】フィギュア、模型、美術品等の展示物を陳列し照明するものとして、照明付きショーケースが有る。
【先行技術文献】
【特許文献】
【０００３】
【特許文献１】特開２００１−３１２９１２号公報
【特許文献２】特開２０１２−８９４５９号公報
【考案の概要】
【考案が解決しようとする課題】
【０００４】照明付きショウケースの多くは単一方向からの照明や、影を無くすよう展示物に均一な光で照明するようにしたものが多く、展示物を引き立てるための照明演出に乏しいものがある。本考案はこの課題を解消し、照明演出をするものとしてなされたものである。
【課題を解決するための手段】
【０００５】フィギュア、模型、美術品等の展示物を置く展示台１に、電灯３を先端に付け自在に曲げることができるアーム２を少なくとも３本以上設け、それぞれの照明位置や照射角度を自在に設定することで各所強調した照明ができ、展示物を個性的に照明演出ができるようにする。
【考案の効果】
【０００６】本考案においては、フィギュア、模型、美術品等の展示物を置く展示台に電灯を先端に付け自在に曲げることができるアームを少なくとも３本以上設け、照明位置や照射角度を自在に設定できることで各所強調した照明や、ライトアップ効果等が演出でき展示物を個性的に照明演出する事ができる。また、展示物に合わせた展示台やアームの長さ等の仕様にすることで展示物と一体化したオブジェとして鑑賞できる。
【図面の簡単な説明】
【０００７】
【図１】６本のアームを設置した例の展示状況斜視図である。
【図２】主要部品構成図である。
【図３】電灯に照明用ＬＥＤを使用した例のアーム断面図である。
【考案を実施するための形態】
【０００８】以下、本考案の実施の形態について説明する。
（イ）展示物を置く展示台１に少なくとも３本以上の任意数分のアーム取付け孔１０とスイッチ取付け孔１１を設け、展示台内部には電池ボックス４を設置する。
（ロ）アーム２は自在に曲げる事ができるフレキシブル管、又は類似する鋼管、又は樹脂性管の先端に電灯３を設置し、後端には展示台１に固定できる取付け金具７を施し、管内に導線８を配線し、照明付きアームを構成する。
（ハ）展示台１に少なくとも３本以上の任意数分の前項（ロ）照明付きアームと電源スイッチ５を取付け、配線を施し、照明演出展示台を構成する。
（ニ）電源を外部からとる構造の仕様にする場合は、電池ボックス４に代わり展示台１に外部電源入力端子取付け孔を設け、外部電源入力端子６を付け、配線を施し、電源アダプターを接続使用する。
【符号の説明】
【０００９】  １  展示台
２  アーム
３  電灯
４  電池ボックス
５  電源スイッチ
６  外部電源入力端子
７  取付け金具
８  導線
９  展示物
１０  アーム取付け孔
１１  スイッチ取付け孔
【図１】
0003183300.tif 000003
【図２】
0003183300.tif 000004
【図３】
0003183300.tif 000005
(57)【要約】      （修正有）【課題】ペンダント、ストラップとして使用出来、大切なものを保管出来、常時身につけることが出来るカプセルを提供する。【解決手段】ストーン、真鍮メッキが施された容器本体の外表面に複数のビーズを貼り付け、前記容器本体の開口部にゴムパッキングを介して蓋を配置する。【選択図】図１
0003183279.tif 000002
【実用新案登録請求の範囲】
【請求項１】
プレシャスカプセル    真鍮（メッキ加工）    スワロフスキー加工製品
【考案の詳細な説明】
【技術分野】
【０００１】真鍮（メッキ加工）カプセル
【背景技術】
【０００２】真鍮（メッキ加工）にゴムパッキンでフタ（キャップ）をつけることによりカプセル内を空洞状態で防水加工を行っています。
【考案の概要】
【考案が解決しようとする課題】
【０００３】カプセル方式を採用し、ペンダント、ストラップとして使用出来、防水加工を施してある為、カプセル内に大切な物を保管出来、常時一緒に身につけることが出来ます。
【図面の簡単な説明】
【０００１】
【図１】全体図
【図２】断面図
【符号の説明】
【０００２】
【図１】
0003183279.tif 000003
【図２】
0003183279.tif 000004
【手続補正書】
【提出日】平成24年11月26日(2012.11.26)
【手続補正１】
【補正対象書類名】実用新案登録請求の範囲
【補正対象項目名】全文
【補正方法】変更
【補正の内容】
【実用新案登録請求の範囲】
【請求項１】
ストーン（真鍮メッキ加工）
【手続補正３】
【補正対象書類名】図面
【補正対象項目名】図１
【補正方法】変更
【補正の内容】
【図１】
0003183279.tif 000005
【手続補正書】
【提出日】平成25年2月15日(2013.2.15)
【手続補正１】
【補正対象書類名】実用新案登録請求の範囲
【補正対象項目名】全文
【補正方法】変更
【補正の内容】
【実用新案登録請求の範囲】
【請求項１】
真鍮めっきが施された容器本体の外表面に複数のビーズを貼り付け、前記容器本体の開口部にゴムパッキンを介して蓋を配置したことを特徴とするカプセル。
(57)【要約】【課題】  簡単な構成で階段昇りを容易に行うことができる松葉杖を提供する。【解決手段】  長尺の支持体１０と、支持体１０の上端に設けられた脇当部２０と、支持体１０の下端に設けられた当接部３０と、支持体１０において脇当部２０と当接部３０との間に設けられた握り部４０とを備える松葉杖１であって、支持体１０の下部側面から突出して階段の段部と係合する係合部５０を備え、係合部５０は、円弧状に湾曲して反り上がる踏面押圧面５２を下面側に備える。【選択図】  図１
0003183272.tif 000002
【実用新案登録請求の範囲】
【請求項１】
長尺の支持体と、前記支持体の上端に設けられた脇当部と、前記支持体の下端に設けられた当接部と、前記支持体において前記脇当部と前記当接部との間に設けられた握り部とを備える松葉杖であって、
前記支持体の下部側面から突出して階段の段部と係合する係合部を備え、
前記係合部は、円弧状に湾曲して反り上がる踏面押圧面を下面側に備える松葉杖。
【請求項２】
前記踏面押圧面は、前記脇当部の上面中央を中心とする曲率面である請求項１に記載の松葉杖。
【考案の詳細な説明】
【技術分野】
【０００１】
本考案は、松葉杖に関する。
【背景技術】
【０００２】
従来の松葉杖は、長尺の支持体の上端に脇当部を備え、下端に地面との当接部である石突を備える構成が一般的であり、使用者が支持体に設けられた握り部を把持して脇当部を脇に挟むことにより、歩行の補助を行うように構成されている。このような松葉杖は、階段などの段差を昇降する場合に、石突を当接させる高さ位置が変化するため、歩行が困難になるおそれがある。そこで、特許文献１には、階段の昇降を容易にするため、左右の杖を連結フレームで連結することにより、身体を支持して両足を地面から浮かせ易くした松葉杖が開示されている。
【先行技術文献】
【特許文献】
【０００３】
【特許文献１】特開平１０−６６７１６号公報
【考案の概要】
【考案が解決しようとする課題】
【０００４】
ところが、上記特許文献１に開示された松葉杖は、特に使用者が階段を昇る際に、松葉杖を利用して身体を持ち上げるのに多大な力が必要になり、使用者が扱い難いという問題があった。
【０００５】
そこで、本考案は、簡単な構成で階段昇りを容易に行うことができる松葉杖の提供を目的とする。
【課題を解決するための手段】
【０００６】
本考案の前記目的は、長尺の支持体と、前記支持体の上端に設けられた脇当部と、前記支持体の下端に設けられた当接部と、前記支持体において前記脇当部と前記当接部との間に設けられた握り部とを備える松葉杖であって、前記支持体の下部側面から突出して階段の段部と係合する係合部を備え、前記係合部は、円弧状に湾曲して反り上がる踏面押圧面を下面側に備える松葉杖により達成される。
【０００７】
この松葉杖の前記踏面押圧面は、前記脇当部の上面中央を中心とする曲率面であることが好ましい。
【考案の効果】
【０００８】
本考案によれば、簡単な構成で階段昇りを容易に行うことができる松葉杖を提供することができる。
【図面の簡単な説明】
【０００９】
【図１】本考案の一実施形態に係る松葉杖の側面図である。
【図２】図１に示す松葉杖の使用状態を示す図である。
【考案を実施するための形態】
【００１０】
以下、本考案の一実施形態について添付図面を参照しつつ説明する。図１は、本考案の一実施形態に係る松葉杖の側面図である。図１に示すように、松葉杖１は、支持体１０と、支持体の上端に設けられた脇当部２０と、支持体の下端に設けられた当接部３０と、支持体１０において脇当部２０と当接部３０との間に設けられた握り部４０とを備えている。
【００１１】
支持体１０は、間隔をあけて配置された一対のロッド１２，１２の下部に脚部１４が挟持されて構成されており、一対のロッド１２，１２の上端に架け渡すように脇当部２０が設けられている。脚部１４の下端には石突等の金具が装着されて当接部３０が構成されている。また、握り部４０は、一対のロッド１２，１２の間に挟持されており、使用者が脇当部２０を脇に挟んだ状態で握り易い高さ位置に設けられている。
【００１２】
上記の構成は、従来の松葉杖の構成と同様であるが、本考案は、階段の段部と係合する係合部５０を支持体１０の下部側面に設けたことを特徴とするものである。すなわち、係合部５０は、脚部１４から一対のロッド１２，１２の隣接方向に沿って突出するように設けられており、下面側が階段の踏み面を押圧する踏面押圧面５２とされている。踏面押圧面５２は、側面視において支持体１０から突出方向に向けて円弧状に反り上がる湾曲形状を有している。係合部５０は、支持体１０に対して強固に固定されていることが好ましいが、後述するように使用者が体重をかけても脱落や損傷が生じない構成であれば、螺合等により支持体１０に着脱可能であってもよい。
【００１３】
上記の構成を備える松葉杖１は、従来の松葉杖と同様に２本用意して、それぞれの脇当部２０を両脇に挟み、握り部４０を把持して当接部３０を地面に当接させることにより、歩行の補助を行うことができる。また、階段を昇る際には、図２（ａ）に示すように、階段１００の足を載せる部分である踏み面１０２に係合部５０の踏面押圧面５２を載せて、体重を前方にかけることにより、踏み面１０２が係合部５０により押圧され、図２（ｂ）に示すように、係合部５０と踏み面１０２との接触位置が踏面押圧面５２に沿って前方へと移動し、当接部３０が地面から離れる。この後、使用者が握り部４０に鉛直下方への力を生じさせることにより係合部５０において使用者の身体を支持し、係合部５０を載せた踏み面１０２の直上に身体を容易に持ち上げることができる。図２においては、片足を踏み面１０２に載せた後に体重を前方にかける松葉杖１の使用例を示しているが、両足を下段においたまま体重を前方にかけて両足を同時に上段に持ち上げることも可能であり、いずれの場合も階段昇りを容易に行うことができる。
【００１４】
図１において、当接部３０から支持体１０に沿った係合部５０の踏面押圧面５２までの高さＬ１は、係合部５０を階段１００の踏み面１０２に確実に係合できるように、階段の蹴上げ寸法と略同じか、蹴上げ寸法よりも若干小さい値に設定することが好ましい。また、階段昇りの際に体重を前方にスムーズにかけることができるように、円弧状の踏面押圧面５２は、脇当部２０の上面中央Ｏを中心とする曲率面であることが好ましい。すなわち、踏面押圧面５２の曲率半径ｒは、脇当部２０の上面から支持体１０に沿った踏面押圧面５２までの高さＬ２と同じであることが好ましい。
【００１５】
係合部５０の形状は、本実施形態では下に凸となる形状にしているが、係合部５０に体重をかけたときの撓み変形を防止できる程度の剛性を有するものであればよく、例えば、係合部５０の上面を水平にしたり、上に凸となるような形状であってもよい。
【符号の説明】
【００１６】
１  松葉杖
１０  支持体
２０  脇当部
３０  当接部
４０  握り部
５０  係合部
５２  踏面押圧面
【図１】
0003183272.tif 000003
【図２】
0003183272.tif 000004
(57)【要約】      （修正有）【課題】住宅その他土木基礎工事で鋼製型枠及び木製型枠を使用し、生コンクリートを打設工事の型枠の安定保持する器具であって、金具をコンクリート底部を貫通させずコンクリート釘も使用しなくてもよいコンクリート止め金具を提供する。【解決手段】平板状の金具を屈曲してＬ字もしくはコ字状の形状とし下部の平面部に下方に突出する突起物をもうけてコンクリート止め金具とする。【選択図】図１
0003183278.tif 000002
【実用新案登録請求の範囲】
【請求項１】
鋼製型枠及び木製型枠のコンクリート止め器具
【考案の詳細な説明】
【技術分野】
【０００１】  本考案は、住宅その他土木基礎工事で鋼製型枠及び木製型枠を使用し、生コンクリートを打設工事の型枠の安定保持する器具である。
【背景技術】
【０００２】  打設工事の型枠保持器具で金属製の物が一般的である。
【考案が解決しようとする課題】
【０００３】  住宅その他土木基礎工事で鋼製型枠及び木製型枠を使用し生コンクリートを打設工事の型枠の安定保持器具は、コンクリート釘で設置するのが一般的であり精度をだすのが困難である且つ基礎立ち上がりコンクリートの底部の内部から外部を貫通するため、シロアリの進入や水の浸入が懸念される。
【課題を解決するための手段】
【０００４】  本考案は金具をコンクリート底部を貫通させずコンクリート釘も使用しなくても可能である。
【考案の効果】
【０００５】  本考案により、シロアリの進入水の侵入、簡単に設置でき精度の向上になる。
【図面の簡単な説明】
【０００６】
【図１】  斜視図
【考案を実施するための形態】
【０００７】  本考案を従来の金属製の器具と同じ形態で使用する。
【符号の説明】
【０００８】▲１▼・・・金具断面図、平面図
▲２▼・・・金具断面図、平面図
【図１】
0003183278.tif 000003
【手続補正書】
【提出日】平成24年6月5日(2012.6.5)
【手続補正１】
【補正対象書類名】実用新案登録請求の範囲
【補正対象項目名】全文
【補正方法】変更
【補正の内容】
【実用新案登録請求の範囲】
【請求項１】
図１の▲１▼、▲２▼の形状を有する鋼製型枠及び木製型枠のコンクリート止め器具。
［選択図］図１
【手続補正書】
【提出日】平成24年8月21日(2012.8.21)
【手続補正１】
【補正対象書類名】実用新案登録請求の範囲
【補正対象項目名】全文
【補正方法】変更
【補正の内容】
【実用新案登録請求の範囲】
【請求項１】
図１のＣ、Ｄのような形状の斜め形状を有し固定にコンクリート釘を使用することなく図１矢印Ａ部が水平になる鋼製型枠及び木製型枠のコンクリート止め器具。
【手続補正書】
【提出日】平成24年11月22日(2012.11.22)
【手続補正１】
【補正対象書類名】実用新案登録請求の範囲
【補正対象項目名】全文
【補正方法】変更
【補正の内容】
【実用新案登録請求の範囲】
【請求項１】
従来の型枠固定の器具はコンクリート打設後硬化したコンクリートに釘で固定するのが一般的であったが打設後硬化してない状態で固定出来るため釘を使用することなく固定でき形状を容易に変えることが出来る鋼製型枠及び木製型枠のコンクリート止め器具。
【手続補正書】
【提出日】平成25年2月15日(2013.2.15)
【手続補正１】
【補正対象書類名】実用新案登録請求の範囲
【補正対象項目名】全文
【補正方法】変更
【補正の内容】
【実用新案登録請求の範囲】
【請求項１】
平板状の金具を屈曲してＬ字もしくはコ字状の形状とし下部の平面部に下方に突出する突起物をもうけたことを特長とするコンクリート止め金具。
(57)【要約】      （修正有）【課題】足腰の筋肉とバランス感覚を強化し、ダイエット効果を生み出すフィットネスシューズを提供する。【解決手段】フィットネスシューズ本体１にアーチ形状の底２を設けることで、足腰の筋肉強化とバランス感覚を強化し、ダイエットにも役立つ。【選択図】図１
0003183277.tif 000002
【実用新案登録請求の範囲】
【請求項１】
シューズ底にアーチを設け、足腰の筋肉強化とバランス感覚強化を可能とし、ダイエット効果を特徴とする、フィットネスシューズ。
【考案の詳細な説明】
【技術分野】
【０００１】
本考案は、シューズの底をアーチ形状にした、シューズに関するものである。
【考案の概要】
【考案が解決しようとする課題】
【０００２】
従来のシューズは主に歩きやすく、疲れにくく作られている為、足腰を鍛える目的に特化されておらず、ダイエット効果を期待できなかった。
【課題を解決するための手段】
【０００３】
シューズの底部分をアーチ形状にすることで、バランス感覚の強化と、足全体の筋力強化が可能となる。また全身のダイエット効果が得られる。
【考案の効果】
【０００４】
本考案はシューズの底をアーチ形状にすることで、足腰の筋肉強化に役立ち、バランス感覚の増強と、ダイエット効果に役立つ。
【図面の簡単な説明】
【０００５】
【図１】シューズ本体  側面図
【符号の説明】
【０００６】
１  シューズ本体
２  アーチ形状の底
３  足
【図１】
0003183277.tif 000003
(57)【要約】      （修正有） 【課題】粘着ジェルシートを使い撮影機器に撮影用照明を貼りつけることで、暗所での撮影も容易に実施出来る粘着ジェルシート付撮影用照明を提供する。【解決手段】カメラやビデオカメラやカメラを搭載した携帯型通信機器等の撮影機器３と、撮影用照明１を、粘着ジェルシート２によって貼り付け固定する事で、撮影用照明１を固定する為のホットシューなどの接続端子を持ち合わせていない、撮影機器３でも、撮影用照明１を取り付ける事が可能となり、明かりが少なく暗い場所での、撮影用照明１を使った撮影を、容易に行えるようにする事を可能にする。【選択図】図２
0003183386.tif 000002
【実用新案登録請求の範囲】
【請求項１】
写真や動画を撮影する時に、被写体を明るく照らすことの出来る、撮影用照明（１）と、粘着ジェルシート（２）と、カメラやビデオカメラやカメラを搭載した携帯型通信機器等の撮影機器（３）によって構成され、撮影機器（３）と、撮影用照明（１）を、粘着ジェルシート（２）によって貼り付け固定する事で、撮影用照明（１）を固定する為のホットシューなどの接続端子を持ち合わせていない、撮影機器（３）でも、撮影用照明（１）を取り付ける事が可能となり、明かりが少なく暗い場所での、撮影用照明（１）を使った撮影を、容易に行えるようにする事を可能にする事を特徴とした撮影用照明。
【請求項２】
何度も貼り直しが可能な、粘着ジェルシート（２）を採用することにより、撮影用照明（１）を、カメラやビデオカメラやカメラを搭載した携帯型通信機器等の撮影機器（３）に、何度も貼り付けたり、外したりすることが、容易に可能になることを特徴とした撮影用照明。 
【考案の詳細な説明】
【技術分野】
【０００１】
本考案は、撮影用照明を固定する為のホットシューなどの接続端子を持ち合わせておらず、本来なら撮影用照明を固定する事の出来ない、カメラやビデオカメラやカメラを搭載した携帯型通信機器等の撮影機器に、撮影用照明を取り付け固定させる事で、明かりが少なく暗い場所での撮影用照明を使った撮影を、容易に行う事が出来るよう、構成したものである。
【背景技術】
【０００２】
従来、撮影用照明を固定する為のホットシューなどの接続端子を持ち合わせていない、カメラやビデオカメラやカメラを搭載した携帯型通信機器等の撮影機器を使って、撮影用照明を必要とする撮影をする場合、撮影機器を持っていない側の手で撮影用照明を持ち被写体を照らすか、撮影機器に搭載されている三脚を固定する穴に、撮影用照明を固定するための機材を別途取り付け、さらにその機材に撮影用照明を取り付けて固定する必要があった。
【先行技術文献】
【非特許文献】
【０００３】
【非特許文献１】http://www.jtt.ne.jp/products/original/lunaled56/index.html
【考案の概要】
【考案が解決しようとする課題】
【０００４】
従来の技術で述べた方法で、撮影用照明を使用する場合、撮影用照明を手で持ち、被写体を照らしながら撮影する方法は、被写体に光りを当てることに気を取られてしまい、撮影に集中する事が出来ず、思い通りの写真や動画を撮影する事が困難になるという問題がある。
【０００５】
また、撮影機器に撮影用照明を固定するための機材を別途取り付けて撮影用照明を固定する方法も、機材を取り付ける事により撮影機器自体のサイズが大きくなってしまうため撮影機器の取り回しが悪くなり、また撮影機器のを持ったときの重量バランスも悪くなってしまうために、撮影機器の操作に支障が出るなどし、思い通りの写真や動画を撮影する事が困難になるという問題がある。
【０００６】
また、両面粘着テープを使って、撮影機器と撮影用照明を貼り付け一体化すれば、低コストで簡単に固定が出来、ホットシューなどの接続端子を持たない撮影機器においても、撮影用照明を取り付ける事が可能になるが、両面粘着テープを使用し貼り付けた場合、撮影用照明を必要としない状況になっても撮影用照明を容易に外すことが出来なくなり、また、外した場合でも両面粘着テープの貼りあとが残ってしまう、撮影機器の表面を傷めてしまうという問題が新たに発生してしまう。 
【課題を解決するための手段】
【０００７】
カメラやビデオカメラやカメラを搭載した携帯型通信機器等の撮影機器（３）に、粘着ジェルシート（２）を貼り付け、その上から撮影用照明（１）を貼り付ける。
本考案は、以上の構成よりなる、粘着ジェルシート付撮影用照明である。
【考案の効果】
【０００８】
粘着ジェルシートを使い、撮影機器に撮影用照明を貼り付けることで、撮影用照明を取り付けるためのホットシューなどの接続端子を持ち合わせていない撮影機器にも、撮影用照明を固定する事が可能となり、暗所での撮影において、撮影機器の操作を妨げることなく、被写体を撮影用照明の明かりで照らしながらの撮影が容易となった。
【０００９】
粘着ジェルシートは、貼り付けたり剥がしたりという行為が容易であり、何度も貼り直しが可能で、貼り付けた場所の表面を傷めることが無いという特徴を持っているため、撮影用照明を使用しない場合は外しておき、使用する場合に、再度撮影機器に貼り付けるという使い方が可能である。  
【図面の簡単な説明】
【００１０】
【図１】粘着ジェルシート（２）を使い、撮影機器（３）に撮影用照明（１）を貼り付けて固定する方法を示す斜視図である。
【図２】本考案の粘着ジェルシート付撮影用照明を、撮影機器（３）で使用する場合の、使用方法を説明するための斜視図である。
【考案を実施するための形態】
【００１１】
考案の実施の形態を図面を参照して説明する。 
図１に示されているよう、カメラやビデオカメラやカメラを搭載した携帯型通信機器等の撮影機器（３）に、粘着ジェルシート（２）を貼り付け、その上から撮影用照明（１）を貼り付ける事により、図２のように、カメラやビデオカメラやカメラを搭載した携帯型通信機器等の撮影機器（３）に、撮影用照明（１）が固定され、撮影用照明の明かりで被写体を照らしながらの、撮影機器（３）を使った撮影が容易に出来るようになる。
【符号の説明】
【００１２】
１          撮影用照明
２          粘着ジェルシート
３          撮影機器
【図１】
0003183386.tif 000003
【図２】
0003183386.tif 000004
(57)【要約】      （修正有）【課題】スケートボードケースとバッグを特別な縫製仕様により一体化する事によって荷物をひとつにまとめて移動する際の負担を軽減できるバッグを提供する。【解決手段】本来別途独立した形状のスケートボードを収納するケース１とシューズ等を収納するリュック２を一体化して、スケートボード、衣服、シューズ等をそれぞれ収納する。次に、上部固定ベルト３と中央固定ベルト４を絞り、ケース１とリュック２を完全に固定する。上記収納ののち、バッグを背負う際には調整機能付ショルダーベルト５を調整する事により、身体への重量の負担を軽減する。スケートボードを収納しない場合には、ケースの上部６、下部７をそれぞれ巻き込み、巻き込み時固定テープで固定し、かさばらない形状での使用を可能とする。【選択図】図１
0003183313.tif 000002
【実用新案登録請求の範囲】
【請求項１】
スケートボード収納ケースとショルダーバッグを一体化する縫製によって、それぞれ独立していたものを一つにまとめて移動の負担を軽減したバッグ。
【考案の詳細な説明】
【技術分野】
【０００１】  本考案は、スケートボードの収納ケースを設けたバッグに関するものである。
【背景技術】
【０００２】  従来、スケートボードケースとバッグはそれぞれ独立して存在していた。
【考案の概要】
【考案が解決しようとする課題】
【０００３】  スケートボードを所持し移動する際には、スケートボードケースに収納し、
さらに競技用の衣服やシューズなどを別のバッグに収納して持ち運ぶ際の負担を余儀なくされていた。
【課題を解決するための手段】
【０００４】  本考案は、スケートボードケースとバッグを特別な縫製仕様により一体化する事によって荷物をひとつにまとめて移動する際の負担を軽減。
【考案の効果】
【０００５】  スケートボード収納時に、固定ベルトの考案された機能により安定感を保ち、電車やバス等の公共手段使用での移動の際にも周りの人々のための安全をもたらし、バッグに装備されたショルダーベルトの機能によって重量の負担を軽減。
【図面の簡単な説明】
【０００６】
【図１】  本考案のスケートボード収納室付バッグの全体図である。
【図２】  収納ポケットを開けた状態の図である。
【図３】  メインポケットを開けた状態の図である。
【図４】  スケートボードケースを巻き込んだ状態の図である。
【図５】  本バッグの収納時断面図である。
【図６】  本バッグのスケートボードケース巻き込んだ時の断面図である。
【考案を実施するための形態】
【０００７】  図１にある１と２とは本来別途独立した形状のものを一体化して、１にスケートボード、２に衣服、シューズ等をそれぞれ収納する。
【実施例】
【０００８】  図１にある１にスケートボードを収納する。図２の８の収納ポケットと図３の９のメインポケットにそれぞれ衣服及びシューズ等を収納する。図１の３の上部固定ベルトと４の中央固定ベルトを絞り、１と２を完全に固定する。【０００９】  上記収納ののち、バッグを背負う際に図１の５を調整する事により、身体への重量の負担を軽減する。【００１０】  スケートボードを収納しない場合には、図１の６と７をそれぞれ巻き込み、図４の１０で固定し、１１の様な形状での使用を可能とする。
【符号の説明】
【００１１】  １  スケートボードケース
２  ２層式リュック
３  上部固定ベルト
４  中央固定ベルト
５  調整機能付きショルダーベルト
６  スケートボードケース上部
７  スケートボードケース下部
８  収納ポケット
９  メインポケット
１０  巻き込み時固定テープ
１１  スケートボードケース巻き込み時
【図１】
0003183313.tif 000003
【図２】
0003183313.tif 000004
【図３】
0003183313.tif 000005
【図４】
0003183313.tif 000006
【図５】
0003183313.tif 000007
【図６】
0003183313.tif 000008
(57)【要約】      （修正有）【課題】包装用容器を被覆するシュリンクフイルムにおいて、容易に包装用容器から剥離することができるシュリンクフイルムを提供する。【解決手段】包装用容器２を被覆して構成される熱収縮性のシュリンクフイルム１において、該シュリンクフイルムが容易に剥離するために所定の位置に小穴集合体３を設けて構成した。小穴集合体の穴の横ピッチが１．３ｍｍから２．５ｍｍまた縦ピッチが１．０ｍｍから３．０ｍｍのシュリンクフイルムが容易に包装用容器から剥離することができる。【選択図】図１
0003183316.tif 000002
【実用新案登録請求の範囲】
【請求項１】
包装用容器を被服して構成される熱収縮性のフイルムにおいて、該シュリンクフイルムの所定位置にシュリンクフイルムが容易に開封出来るように本発明の小穴集合体が設けられていることを特徴とするシュリンクフイルム。
【請求項２】
請求項１における小穴集合体に穴は点、直線、曲線で大きさは点が直径０．１ｍｍから０．５ｍｍ、直線又は曲線は長さ０．２ｍｍから１．３ｍｍのいずれか又はそれらの組み合わせたことを特徴とするシュリンクフイルム。
【請求項３】
請求項１及び２において小穴集合体の幅は２０ｍｍから５０ｍｍであることを特徴とするシュリンクフイルム。
【請求項４】
請求項１、２及び３において小穴集合体の穴の横ピッチが１．３ｍｍから２．５ｍｍまた縦ピッチが１．０ｍｍから３．０ｍｍからなるシュリンクフイルム。
【請求項５】
シュリンクフイルムがポリエチレン又はポリプロピレン又はそれらの共重合体であることを特徴とする請求項１又は請求項２又は請求項３又は請求項４に記載するシュリンクフイルム。
【考案の詳細な説明】
【技術分野】
【０００１】  本考案は包装用容器を被覆するシュリンクフイルムにおいて、容易に包装用容器から剥離することができるシュリンクフイルムに関する。
【背景技術】
【０００２】  近年、ＣＤやＤＶＤ等を詰めた包装用容器をフイルムでシュリンク包装している商品が増大している。【０００３】  従来のシュリンク包装は非常にタイトで引き裂きにくいものが大部分である。
【先行技術文献】
【実用新案文献】
【０００４】
【実用新案文献１】
実用新案登録第３０７４２６４号
【考案の概要】
【考案が解決しようとする課題】
【０００５】本考案は、以上のような従来の欠点に鑑み包装用容器を被覆するシュリンクフイルムにおいて、容易に包装用容器から剥離することができるシュリンクフイルムを構成している。
【課題を解決するための手段】
【０００６】（１）上記目的を達成しるために包装用容器を被服して構成されるシュリンクフイルムにおいて、該シュリンクフイルムの所定の位置に本発明の小穴集合体を設けることにより容易に開封出来るようになる。【０００７】（２）この小穴集合体に穴は点、直線、曲線で大きさは点が直径０．１ｍから０．５ｍｍ、直線又は曲線は長さ０．２ｍｍから１．３ｍｍのいずれか又はそれらの組み合わせることにより容易に包装用容器から剥離することができる。【０００８】（３）さらに小穴集合体の幅は２０ｍｍから５０ｍｍのシュリンクフイルムが容易に包装用容器から剥離することができる。【０００９】（４）小穴集合体の穴の横ピッチが１．３ｍｍから２．５ｍｍまた縦ピッチが１．０ｍｍから３．０ｍｍのシュリンクフイルムが容易に包装用容器から剥離することができる。【００１０】（５）シュリンクフイルムの材質はポリエチレン又はポリプロピレン又はそれらの共重合体であることがより容易に包装用容器から剥離することができる。【００１１】（７）上記（１）から（６）までの事項の組み合わせであればシュリンク包装のディスプレー効果は失われない。
【図面の簡単な説明】
【００１２】
【図１】本考案シュリンクフイルムの実施例を示す正面図である。
【図２】本考案のシュリンクフイルムにおける予備包装体１の斜視図である。
【図３】本考案のシュリンクフイルムにおける予備包装体２の斜視図である。
【図４】本考案の小穴を説明するための略拡大図である。
【考案を実施するための形態】
【００１３】以下本考案を実施の形態を図に基づいて説明する。
【実施例１】
【００１４】図１に示すように、包装用容器２は熱収縮したシュリンクフイルム１によって密着して被覆されている。また、シュリンクフイルム１における合わせ目はヒートシールされている。【００１５】図１に示すシュリンクフイルムは、図２に示すような予備包装体４を形成した後に、これを加熱することによって得られる。
図２にしめすように、この予備包装体４はシート状のフイルムをＬ字形に折り曲げてその合わせ目を三方熱シールしたものである。包装用容器２にシュリンクフイルムを被服するためにこの予備包装体４は包装用容器２の外径よりも大きく形成されている。【００１６】図４は予備包装体４には予め小穴集合体を設けている。
【実施例２】
【００１７】図３は３方シールされた予備包装体を示す。解放された予備包装体を熱シールし熱収縮して図１に示すシュリンクフイルムを作成する。予備包装体は図４に示すように予め小穴集合体を設けている。
実施例１及び実施例２において、熱収縮されたシュリンクフイルムの小穴集合体の所から引き裂くことにより、簡単に包装用容器からシュリンクフイルムを取り除くことが可能になる。【００１８】実施例１及び実施例２における上記シュリンクフイルムとしては一般のシュリンク包装に用いられる熱収縮性の合成樹脂フイルム（例えばポリエチレン、ポリプロピレン、それらの共重合体、ポリエチレンテレフタレート、ポリスチレン、ポリ塩化ビニル等の二軸延伸フイルム）等が挙げられるが、熱収縮性、熱融着性が良好なポリエチレン、ポリプロピレン、それらの共重合体が望ましい。
【産業上の利用可能性】
【００１９】本考案はＣＤ、ＤＶＤの包装容器のシュリンク包装、又はノート等の単体又はそれらの集合体の包装をシュリンク包装する産業に利用される。
【図１】
0003183316.tif 000003
【図２】
0003183316.tif 000004
【図３】
0003183316.tif 000005
【図４】
0003183316.tif 000006
(57)【要約】      （修正有）【課題】パソコンのキーボードタッチタイピング技能を習得する手段として、視線を遮断することが可能で、短時間でタッチタイピング技能を習得できる、パソコン用マスキングテーブルを提供する。【解決手段】目隠し用天板１をキーボード上に設置することにより容易に受講者の視線を遮断することが可能で、短時間でタッチタイピング技能の習得が可能となる。また、低廉化と軽量化及び運搬を容易にするため、薄い天板を使用し、脚は細い丸棒とし、且つ、折畳み可能とした。【選択図】図１
0003183314.tif 000002
【実用新案登録請求の範囲】
【請求項１】
長方形の天板に対し曲げ加工を施した丸棒脚３乃至４本を接続器具により取付け、脚部及びストッパー部とし、且つ使用後は脚部を折畳んで携行を容易にすることを可能とした特徴を有するパソコン用マスキングテーブル。
【請求項２】
長尺部分を脚部とし且つ丸棒脚の天板寄りを９０度曲げ、接続器具範囲を確保後、先端部を脚部に対し平行に９０度曲げ、天板に接地した状態から先端部のみを上方に向け７０度の曲げを加えストッパー部とした丸棒脚を有する請求項１記載のパソコン用マスキングテーブル。
【考案の詳細な説明】
【技術分野】  本考案はパソコンのキーボード操作技法であるタッチタイピングの教習効果を上げるための器具に関する。
【背景技術】
【０００１】  現在中学校や高等学校における多くの生徒はインターネット上のコンテンツであるタイピング練習用ソフトを使用したり又見よう見まねで文字入力を行うなど明確な操作の基礎を習得できないでいる。そのため打ち方が我流になり、また覚えきれないでキーボード操作が不得手になるなど不都合が生じている。【０００２】  効果的と考えられているインターネットでのタイピング練習は、指導者不在の状態での教習であり、タッチタイピング技法の必須要件である手元を見ないでキーを打つことを教え込むことが出来にくく、且つ決められたキーを決められた指で打つという要件をも的確に教習することが困難という欠点がある。
【考案の概要】
【考案が解決しようとする課題】
【０００３】  タッチタイピングの教習を行う場合手元を見ることを禁止してもそれを習慣づけるには多くの時間が必要となる。現在見ないで打つための手段が確立しておらず、特に多数の生徒を一度に教習する学校現場等での教習が困難となっている。このため一度にすべての受講者に対し手元を見せずに効果的に教習を行うための手段が求められている。【０００４】  更に製造原価を低廉とするため構造を簡素化し且つ学校間を移動するため軽量化し運搬が容易な形状を成したるものが訴求されている。
【課題を解決するための手段】
【０００５】  本考案はパソコン用マスキングテーブルをキーボード上に設置することにより、容易に受講者の視線を遮断することが可能となることを目的に考案したものである。マスキングテーブルを使用することにより短時間でタッチタイピング技能を習得できることで前記の課題を解決する。【０００６】  また、低廉化と軽量化及び運搬を容易にするため（１）薄い天板を使用し、（２）脚は細い丸棒とし且つ（３）折畳み可能とした。
【考案の効果】
【０００７】  本考案を使用することにより教員が打鍵を指示したキーは受講者が直接キーを見ることなく指で探って捉えたキーであり、複数回の反復練習によって運動機能として指先が記憶する。しかるに目で確認したものは、目の記憶に依存するため目で見ないと捉えることが出来ない。本考案はこの習性を応用したものである。このため最初からキーを直接目で見なくてもキーを打つことが可能で、短時間での技能習得が可能となる。
【図面の簡単な説明】
【０００８】
【図１】脚部を開脚し使用状態とした正面図
【図２】脚部を折畳み、ストッパー部が天板から離れた状態の側面図
【図３】脚部を立上げ、ストッパー部が天板に接地した状態の側面図
【図４】曲りを加えた丸棒脚全体図
【図５】接続器具により天板に丸棒脚を取付けた状態の斜視図
【図６】図１の本考案をキーボード上に設置した使用態様を示す斜視図
【考案を実施するための形態】
【０００９】  以下本考案の形態を示す図面に基づき説明する。
【実施例】
【００１０】  図１に示す如く、略外向きに丸棒脚を開脚し使用状態を示した正面図【００１１】  図６に示す如く、キーボード上に設置した本考案装置の斜視図。
【産業上の利用可能性】
【００１２】  本考案は中・高校生に対しパソコンを扱う上での基礎であるタッチタイピング技能を教習するためのものであり、我が国のグローバル化しＩＣＴ化した社会に対応するための情報教育を行う前提として習得しなければならない必須技能である。【００１３】  その教習についてはＮＰＯ等非営利法人が本考案を活用し全国の中・高校生に対し実施すべきものである。
【符号の説明】
【００１４】１  目隠し用天板
２  丸棒脚
２ａ  脚部
２ｂ  接続器具取付け範囲
２ｃ  ストッパー部
３  接続器具
４  ボルトナット
５  キーボード
【図１】
0003183314.tif 000003
【図２】
0003183314.tif 000004
【図３】
0003183314.tif 000005
【図４】
0003183314.tif 000006
【図５】
0003183314.tif 000007
【図６】
0003183314.tif 000008
(57)【要約】      （修正有）【課題】弁当箱をランチクロスで包んで確実に携帯できるように、手提用の吊り手を取り付けたランチクロスを提供する。【解決手段】弁当箱を吊り下げるに十分な強度を有する吊り手を取り付けたことを特徴とする手提付きランチクロス１。使用するときは手提となる吊り手が縫製された面を下側にし、ランチクロス１の中央に弁当箱を置く。ランチクロス１の四隅を対角線状に結び固定して、手提部分を掴んで携行する。【選択図】図１
0003183312.tif 000002
【実用新案登録請求の範囲】
【請求項１】
矩形のランチクロスに一対の布製吊り手を取り付けたことを特徴とする手提付ランチクロス。
【請求項２】
弁当箱を包んだ際に弁当箱の側面に位置する場所に吊り手を取り付けたことを特徴とする請求項１の手提付ランチクロス。
【考案の詳細な説明】
【技術分野】
【０００１】
本発明は、弁当箱をランチクロスで包んでから携帯する際、落下させることのないように確実に保持し、弁当箱の中身を安定して運搬できるように吊り手を取り付けたランチクロスに関するものである。
【背景技術】
【０００２】
従来は、風呂敷の端を結ぶようにランチクロスの四隅のうち対角線状に結んでいただけである。そのため携行する際には手で抱えるか、バッグに収容して運搬していた。
【考案の概要】
【考案が解決しようとする課題】
【０００３】
従来のランチクロスは単純に四隅を対角線状に結んでいただけであったので、次のような問題点があった。
（イ）ランチクロスで包んで結び目付近を掴んで運ぼうとすると、掴みやすくするために緩めに結ぶことになり結び目が解ける          恐れがあり、且つ弁当箱の蓋が外れる恐れがある。
（ロ）弁当箱を携行する際に手で抱えると、他の手荷物を同時に持ち難い。
（ハ）ランチクロスで包んだ弁当箱を、さらにバッグ等に収容して運ぶ必要もあった。
本発明は以上の問題点を解決するために色彩豊かな布を使用して、弁当箱を確実に包んだ状態で携行できるよう考案されたものである。
【課題を解決するための手段】
【０００４】
弁当箱を包み込んだ際に、弁当箱の側面に位置する部分に布状製の一対の吊り手を縫いつける。
【考案の効果】
【０００５】
弁当箱類及びその蓋を含めて、四角形のランチクロスの四隅を対角線状にしっかりと結ぶことにより確実に固定できる。弁当箱の側面に位置する部分に吊り手を取り付けているので、弁当箱の中身も安定した状態で携行することができ、且つ他の荷物も同時に携行できる。弁当箱単独で携行できるのでバッグ等に収容する必要が無い。四角形のランチクロスを使用しているので、弁当箱の大きさ、形状に融通性があり、柄物布地を使用することにより携行中のファッションも楽しめる。
【図面の簡単な説明】
【０００６】
【図１】発明の広げた斜視図
【図２】本発明の一対の吊り手を縫製した斜視図
【図３】本発明の使用状態を示した斜視図
【考案を実施するための形態】
【０００７】
手提となる布製の吊り手を包む弁当箱の概略大きさに合わせ、図１のように弁当箱の側面に位置する部分に縫製する。本発明は以上のような構造である。本発明を使用するときは手提となる吊り手が縫製された面を下側にし、ランチクロスの中央に弁当箱を置く。ランチクロスの四隅を対角線状に結び固定して、手提部分を掴んで携行する。
【符号の説明】
【０００８】
１ランチクロス
２吊り手
３接続部
【図１】
0003183312.tif 000003
【図２】
0003183312.tif 000004
【図３】
0003183312.tif 000005